(57)【要約】【課題】断熱材付き基礎を容易に構築することが可能な型枠ユニット及び基礎断熱工法を提供することを目的とする。【解決手段】型枠ユニットＵは、断熱材付き基礎を構築するために用いられる型枠ユニットＵであり、第一型枠片１ａ及び第二型枠片１ｂと、第一型枠片１ａの上部に取り付けられるアングル５と、アンカーボルトを保持するアンカープレート３と、を備える。第一型枠片１ａ及び第二型枠片１ｂは、断熱材４の厚み４ｔと基礎本体１０の立ち上がり部１０ａの厚み１０ｔとを足し合わせた分の幅１１ｗを有する空間１１を挟んで並んで配置されている。アングル５は、空間１１の幅方向において第二型枠片１ｂ側に張り出しており、第一型枠片１ａの上部と第二型枠片１ｂの上部との間に配置されている。アンカープレート３は、空間１１の幅１１ｗ方向において、アングル５と第二型枠片１ｂの上部とに跨って設置されている。【選択図】図２
2018003409.tif 000002
【特許請求の範囲】
【請求項１】
立ち上がり部を有する基礎本体と該基礎本体の前記立ち上がり部に沿って取り付けられた断熱材とを有する断熱材付き基礎を構築するために用いられる型枠ユニットであって、
前記断熱材の厚みと前記基礎本体の前記立ち上がり部の厚みとを足し合わせた分の幅を有する空間を挟んで並ぶ第一型枠片及び第二型枠片と、
前記基礎本体中に一部が埋設されるアンカーボルトを保持する保持板と、
前記第一型枠片の上部に取り付けられ、前記空間の幅方向において、前記第二型枠片側に張り出しており、前記第一型枠片の上部と前記第二型枠片の上部との間に配置されて前記保持板を支持する支持部材と、を備え、
前記保持板は、前記支持部材と前記第二型枠片の上部とに跨って設置されていることを特徴とする型枠ユニット。
【請求項２】
前記支持部材は、前記第一型枠片の上部に取り付けられる取付片と、該取付片から略垂直に延在する垂下片と、を備え、
該垂下片は、前記取付片が前記第一型枠片の上部に取り付けられた状態で、前記空間のうち、前記断熱材の上方の空間と前記立ち上がり部の形成空間とを隔てるように、前記空間内において鉛直方向に延在していることを特徴とする請求項１に記載の型枠ユニット。
【請求項３】
前記支持部材と、前記第一型枠片の上部又は前記保持板とは、ピンによって接続されていることを特徴とする請求項１又は２に記載の型枠ユニット。
【請求項４】
前記ピンは、前記空間内に配置された前記断熱材に挿し込まれていることを特徴とする請求項３に記載の型枠ユニット。
【請求項５】
請求項１乃至４のいずれか一項に記載の型枠ユニットを用意し、
前記第一型枠片と前記第二型枠片との間に前記断熱材を設置する設置工程と、
該設置工程の後に、前記第一型枠片の上部に、前記第二型枠片側に張り出すように前記支持部材を取り付ける支持部材取付工程と、
該支持部材取付工程の後に、前記空間の幅方向において前記支持部材と前記第二型枠片の上部とに跨るように前記保持板を取り付けるプレート取付工程と、
を備えることを特徴とする基礎断熱工法。
【発明の詳細な説明】
【技術分野】
【０００１】
本発明は、型枠ユニット及び基礎断熱工法に係り、特に断熱材付きの基礎を構築するための型枠ユニット、及び型枠ユニットを用いた基礎断熱工法に関する。
【背景技術】
【０００２】
寒冷地における建物として、基礎の立ち上がり部分に断熱材を設ける基礎断熱工法によって、基礎の内側若しくは外側又はその両側を断熱することにより、外気温から床下への蓄熱影響を抑制可能な建物が普及しつつある。
【０００３】
例えば、特許文献１には、基礎を構築するための型枠が断熱材で形成された断熱型枠であり、その断熱型枠の上部に、アンカーボルトを保持する保持板（同文献には、トップスペーサと記載。）が取り付けられたものが記載されている。この保持板は、断熱型枠によって構築された基礎の上部にアンカーボルトを取り付けるために、これを保持するためのものである。
【０００４】
特許文献１に記載された基礎断熱工法は、型枠自体が断熱性を有するものであり、基礎構築後に型枠を残置するものである。
一方で、型枠と断熱材とを別部材とし、間隔をおいて立設する型枠片の間に断熱材を配置し、コンクリートを断熱材と一体的に打設して基礎を構築した後に、断熱材のみを残置しつつ型枠を撤去する工法もある。
そして、断熱材付き基礎を構築したときには、断熱材の基礎からの張り出しに合わせて水切り材を取り付ける都合上、基礎の高さと断熱材の高さを調製する必要がある。
【０００５】
断熱材のみを残置しつつ型枠を撤去する工法により断熱材付き基礎を構築したのち、基礎の天端面から突出する断熱材に対し、平坦な切断面を形成するように容易に切断できる切断具が特許文献２に記載されている。
また、段差を有する基礎を構築可能な天端型枠が特許文献３に記載されている。
【先行技術文献】
【特許文献】
【０００６】
【特許文献１】特開２００１−１１８６９号公報
【特許文献２】特開２００７−２９１８３１号公報
【特許文献３】特開２０１０−２０９６２６号公報
【発明の概要】
【発明が解決しようとする課題】
【０００７】
型枠を構成する型枠片の配置間隔は、型枠片の間に断熱材を配置する場合と、これを配置しない場合とで、同じ厚みの基礎を構築するときに、断熱材の厚み分だけ当然異なるものとなる。
【０００８】
このため、型枠片上に特許文献１の保持板や特許文献３の天端型枠を取り付ける場合に、断熱材が配置されているときには、これが配置されていない場合と比較して大きなアンカープレートや天端型枠を別個に用意する必要があった。このため、これらによって構成される型枠ユニットの設置作業に手間がかかっていた。
【０００９】
また、特許文献２に記載された切断具を用いた場合に、たとえ効率よく切断面を形成するように断熱材を切断できたとしても、断熱材を切断する作業分、型枠ユニット設置作業の全体の作業効率は少なからず低くなってしまう。
【００１０】
本発明は、上記の課題に鑑みてなされたものであり、本発明の目的は、断熱材付き基礎を容易に構築することが可能な型枠ユニット及び基礎断熱工法を提供することにある。
より具体的には、本発明の目的は、型枠片間の間隔が異なる場合にも同じサイズの保持板を共通して使用可能にすることにある。
また、本発明の目的は、断熱材上に水切り材等を配置するスペースを確保するため、所定の高さの断熱材付き基礎を構築することにある。
また、本発明の目的は、型枠ユニットの設置作業を容易にすることにある。
【課題を解決するための手段】
【００１１】
前記課題は、本発明の型枠ユニットによれば、立ち上がり部を有する基礎本体と該基礎本体の前記立ち上がり部に沿って取り付けられた断熱材とを有する断熱材付き基礎を構築するために用いられる型枠ユニットであって、前記断熱材の厚みと前記基礎本体の前記立ち上がり部の厚みとを足し合わせた分の幅を有する空間を挟んで並ぶ第一型枠片及び第二型枠片と、前記基礎本体中に一部が埋設されるアンカーボルトを保持する保持板と、前記第一型枠片の上部に取り付けられ、前記空間の幅方向において、前記第二型枠片側に張り出しており、前記第一型枠片の上部と前記第二型枠片の上部との間に配置されて前記保持板を支持する支持部材と、を備え、前記保持板は、前記支持部材と前記第二型枠片の上部とに跨って設置されていることにより解決される。
【００１２】
上記構成によれば、断熱材付き基礎を構築する際に、第一型枠片と第二型枠片との間の空間の幅方向において、アンカーボルトを保持する保持板が、第二型枠片の上部と第一型枠片の上部から張り出して設けられた支持部材とに跨って設置されていることで、断熱材を設ける分だけ第一型枠片と第二型枠片との間にある空間の幅方向の長さが長くなっても、断熱材を備えない基礎用の型枠に設置される保持板を使用することができる。また、異なる厚さの断熱材を備える基礎を構築する際にも、支持部材を用いることで、同じ保持板を使用することができるため、異なる大きさの保持板を用意する必要がなくなり、断熱材付き基礎を構築しやすくなる。
【００１３】
また、前記支持部材は、前記第一型枠片の上部に取り付けられる取付片と、該取付片から略垂直に延在する垂下片と、を備え、該垂下片は、前記取付片が前記第一型枠片の上部に取り付けられた状態で、前記空間のうち前記断熱材の上方の空間と前記立ち上がり部の形成空間とを隔てるように、前記空間内において鉛直方向に延在していると好ましい。
上記構成によれば、垂下片が、第一型枠片と第二型枠片との間の空間のうち、断熱材の上方の空間と立ち上がり部の形成空間とを隔てるように、空間内において鉛直方向に延在していることで、第二型枠片と垂下片の間に打設されるコンクリートが断熱材の上方に流れ込むことを制限でき、断熱材との間で段差を有する基礎本体を構築することができる。そして、このように段差を設けることで、段差によって基礎本体よりも低められた断熱材の上方に水切り材等を取り付けるためのスペースを形成することができ、他の部材の取り合いに適した断熱材付き基礎を構築しやすくなる。
【００１４】
また、前記支持部材と、前記第一型枠片の上部又は前記保持板とは、ピンによって接続されていると好ましい。
上記構成によれば、支持部材が、第一型枠片の上部又は保持板に、ピンによって接続されていることで、第一型枠片又は保持板に対して、ピンの抜き挿しによって支持部材の接続・分離を容易に行うことができ、型枠ユニットの設置作業が容易となる。
【００１５】
さらに、前記ピンは、前記空間内に配置された前記断熱材に挿し込まれていてもよい。
上記構成によれば、断熱材にピンを挿し込むことによって、断熱材の移動をより確実に抑制することができる。
【００１６】
また、前記課題は、本発明の基礎断熱工法によれば、前記型枠ユニットを用意し、前記第一型枠片と前記第二型枠片との間に前記断熱材を設置する設置工程と、該設置工程の後に、前記第一型枠片の上部に、前記第二型枠片側に張り出すように前記支持部材を取り付ける支持部材取付工程と、該支持部材取付工程の後に、前記空間の幅方向において前記支持部材と前記第二型枠片の上部とに跨るように前記保持板を取り付けるプレート取付工程と、を備えることにより解決される。
【００１７】
上記構成によれば、断熱材付き基礎を構築する際に、第一型枠片の上部に、第二型枠片側に張り出すように支持部材を取り付けて、支持部材と第二型枠片の上部とに跨るように保持板を取り付けることで、断熱材を設ける分だけ第一型枠片と第二型枠片との間隔が広がっていても、保持板を共通して使用することができる。
【発明の効果】
【００１８】
本発明に係る型枠ユニットよれば、断熱材を設ける分だけ第一型枠片と第二型枠片との間にある空間の幅方向の長さが長くなっても、異なる大きさの保持板を用意する必要がなく、断熱材付き基礎を構築しやすくなる。
また、断熱材の上方に水切り材等を取り付けるためのスペースを形成することができ、他の部材の取り合いに適した断熱材付き基礎を構築しやすくなる。
さらに、第一型枠片又は保持板に対して、ピンの抜き挿しによって支持部材の接続・分離を容易に行うことができ、型枠ユニットの設置作業が容易となる。
また、断熱材の移動をより確実に抑制することができる。
また、本発明に係る基礎断熱工法によれば、断熱材を設ける分だけ第一型枠片と第二型枠片との間隔が広がっていても、保持板を共通して使用することができる。
【図面の簡単な説明】
【００１９】
【図１】コンクリートを打設する前の状態における型枠ユニットの一部を示す斜視図である。
【図２】基礎本体の構築想像図を一部に含んで、型枠ユニットを示す図であり、図１のII-II断面を示す断面図である。
【図３】アングル近傍を示す図であり、図２のIII部を拡大して示す拡大断面図である。
【図４】建築された家屋における断熱材付き基礎部分を示す断面図である。
【図５】立ち上がり部の天端面及びモルタルと断熱材との段差部を利用して水切りカバーを設けた状態を、図４のV部を拡大して示す拡大断面図である。
【発明を実施するための形態】
【００２０】
本発明は、断熱材付きの基礎を構築するための型枠ユニット、及び型枠ユニットを用いた基礎断熱工法に関するものである。
以下に、本発明の実施形態に係る型枠ユニット及び基礎断熱工法について説明する。
【００２１】
なお、以下に示す実施形態は、本発明の理解を容易にするためのものであり、本発明を限定するものではない。
つまり、本発明は、その趣旨を逸脱することなく、変更、改良され得るとともに、本発明には各実施形態、変形例に係る特徴を組み合わせたもの、その等価物が含まれることは勿論である。そして、各図に示された各部材は、説明の便宜を考慮して示されており、その形状、大きさ、厚さ等に係る具体的な実施形式に関しては、同一のものに限定されず、異なるものも含むものである。
【００２２】
＜型枠ユニットの構成について＞
まず、図１〜図３を参照して、本実施形態に係る型枠ユニットＵについて説明する。なお、図１は、コンクリートを打設する前の状態における型枠ユニットＵの一部を示す斜視図である。そして、図２は、基礎本体１０の構築想像図を一部に含んで、型枠ユニットＵを示す図であり、図１のII-II断面を示す断面図、図３は、アングル５近傍を示す図であり、図２のIII部を拡大して示す拡大断面図である。
【００２３】
型枠ユニットＵは、基礎本体１０と板状の断熱材４とを有する断熱材付き基礎２０（図４参照）を構築するためのものである。具体的には、型枠ユニットＵは、予め型枠１の内側に断熱材４を配置しておき、型枠１に打設した図示せぬコンクリートが固化するときに一体化させる一体打ち工法によって、断熱材付き基礎２０を構築するためのものである。
【００２４】
型枠ユニットＵは、第一型枠片１ａ（，１ｃ）及び第二型枠片１ｂと、第一型枠片１ａの上部に取り付けられる支持部材としてのアングル５と、アンカーボルト１２を保持する保持板としてのアンカープレート３と、を主な構成部品として構成される。
【００２５】
第一型枠片１ａ（，１ｃ）及び第二型枠片１ｂは、図示せぬコンクリートが打設される空間１１（，２１）を挟んで並ぶように、図２に示す鉄筋ベース６上に、吊止金具７を介して固定されている。
また、第一型枠片１ａにおける第二型枠片１ｂ側に対向する面には、断熱材４が沿って取り付けられており、一方、第一型枠片１ｃにおける第二型枠片１ｂ側に対向する面には断熱材４が取り付けられていない。この断熱材４は、図２に示す吊止金具７上に取り付けられた図示せぬ断熱材留め金具によって固定されている。
つまり、第一型枠片１ａと第一型枠片１ｃとは、図１に示すように、第二型枠片１ｂに平行に延在しており、第一型枠片１ａの方は、第一型枠片１ｃよりも第二型枠片１ｂから離れて配設されている。
【００２６】
空間１１は、第一型枠片１ａと第二型枠片１ｂとの間の空間であり、図２に示すように、断熱材４の厚み４ｔと基礎本体１０の立ち上がり部１０ａの厚み１０ｔとを足し合わせた分の幅１１ｗを有する。一方、空間２１は、第一型枠片１ｃと第二型枠片１ｂとの間の空間であり、基礎本体１０の立ち上がり部１０ａの厚み１０ｔ分の幅を有する。
【００２７】
アンカープレート３は、基礎本体１０中に一部が埋設されるアンカーボルト１２を保持するための部材であり、本実施形態においては、梯子状に形成された板材から成る部材である。アンカープレート３は、短手方向（空間１１の幅方向）両端にあり直線的に延在する取付部３ａと、短手方向両端の取付部３ａに架け渡されるように、延在方向に所定の間隔をおいて配置された架橋部３ｂと、から構成されている。アンカープレート３は、アングル５の上部及び第一型枠片１ｃの上部と第二型枠片１ｂの上部とに跨って配置され、係止ピン９によって着脱可能に取り付けられている。
【００２８】
アングル５は、第二型枠片１ｂ上に一端が取り付けられるアンカープレート３の他端を保持しつつ、断熱材４の上方にコンクリートが打設されるのを防止する機能を有する。アングル５は、断面略Ｌ字状に形成されており、取付片５ａと、取付片５ａの端部から略垂直に延在する垂下片５ｂと、から構成されている。
【００２９】
アングル５の取付片５ａの第一型枠片１ａ側の端部は、第一型枠片１ａの上面に重ねて配置されており、係止ピン９によって第一型枠片１ａに着脱可能に係止されている。取付片５ａは、空間１１の幅方向において、換言すると構築される基礎本体１０の立ち上がり部１０ａの幅方向において、第二型枠片１ｂ側に水平に張り出している。つまり、アングル５は、第一型枠片１ａの上部と第二型枠片１ｂの上部との間に配置されている。また、取付片５ａの第二型枠片１ｂ側の端部には、アンカープレート３の第一型枠片１ａ側の取付部３ａが重ねて配置されており、これらは係止ピン９によって着脱可能に取り付けられている。
【００３０】
アングル５の垂下片５ｂは、取付片５ａが第一型枠片１ａの上部に取り付けられた状態で、空間１１内において鉛直方向に延在しており、断熱材４における第二型枠片１ｂ側の側面の上部に垂下片５ｂの下端側が面接触するように、配置されている。このように配置されたアングル５によって、空間１１の上部は、断熱材４の上方の空間１１ａと、コンクリートの打設後に基礎本体１０の立ち上がり部１０ａが形成されることになる空間１１ｂとに隔てられている。
【００３１】
なお、図１に示すように、第一型枠片１ａと第一型枠片１ｃとが繋がる部分（出隅部と入隅部と間の部分）の近傍には、アンカープレート３と第一型枠片１ａとの間に配置される支持部材としてのアングル２５が設けられている。
【００３２】
アングル２５は、アングル５の延在方向の延長上あり、アングル５よりも比較的短く延在している。特にアングル２５は、アングル５と同一断面形状であって、取付片５ａ及び垂下片５ｂから構成されるアングル５と同様に、取付片２５ａ及び垂下片２５ｂから構成され、断面略Ｌ字状に形成されている。なお、図１においては、断熱材４の上方の空間１１ａについての説明の都合上、アングル２５を二点鎖線で示して、その下方を透過して断熱材４の上方の空間１１ａを示している。そして、アングル２５も係止ピン９によって第一型枠片１ａに固定されている。
このように、アングル５，２５により、断熱材４の上方の空間１１ａと、コンクリートの打設後に立ち上がり部１０ａが形成されることとなる空間１１ｂ（立ち上がり部１０ａの形成空間に相当）とが隔てられている。
【００３３】
また、上記のように、第一型枠片１ａ，１ｃとアングル５，２５、アングル５，２５とアンカープレート３、アンカープレート３と第二型枠片１ｂは、係止ピン９によって相互に係止されている。このため、係止ピン９を抜き挿しすることによって、これらの接続・分離が簡単にでき、型枠ユニットＵの設置作業及び取り外し作業が容易になされることとなる。さらには、断熱材４の上方にあり、アンカープレート３とアングル５，２５とを連結する係止ピン９を、断熱材４に挿し込むようにしてもよい。このようにすることで、断熱材４の位置を保持した状態で、コンクリートを打設することが可能となる。
【００３４】
＜各部材の大きさの関係性について＞
図２を参照して前述したように、第一型枠片１ａと第二型枠片１ｂとの間の空間１１の幅１１ｗは、断熱材４の厚み４ｔと構築される立ち上がり部１０ａの厚み１０ｔとを足し合わせた分の幅と等しい。
また、アンカープレート３における、空間１１の幅方向に配置された両側の取付部３ａにある取付孔３ｃ間の長さ３ｘ（取付孔３ｃに挿し込まれる係止ピン９の間の長さ）は、空間１１の幅１１ｗより短い。よって、アンカープレート３は、アングル５を介さなければ、第一型枠片１ａと第二型枠片１ｂとに跨らせて取り付けることはできない。
逆にいえば、アングル５を配置することによってアンカープレート３を空間１１に跨らせて取り付けることが可能となる。つまり、アングル５を配置することで、アンカープレート３を空間１１上で支持することが可能となる。よって、第一型枠片１ａと第二型枠片１ｂとの間の空間１１の幅１１ｗ、第一型枠片１ａと第一型枠片１ｃとの間の空間２１の幅に応じて、大きさの異なるアンカープレート３を用意する必要がない。換言すると、断熱材４の有無や、断熱材４の厚さの違いに応じて、大きさの異なるアンカープレート３を用意する必要がない。
【００３５】
＜断熱材と立ち上がり部の天端面との段差部について＞
次に、図４及び図５を参照して、断熱材４と立ち上がり部１０ａの天端面１０ｂ（上端面）との段差部１５について説明する。なお、図４は、建築された家屋における断熱材付き基礎２０の部分を示す断面図である。また、図５は、立ち上がり部１０ａの天端面１０ｂ及びモルタル１０ｃと断熱材４との段差部１５を利用して水切りカバー１４を設けた状態を、図４のV部を拡大して示す拡大断面図である。
【００３６】
基礎本体１０の立ち上がり部１０ａの側面に沿って断熱材４を一体的に備える断熱材付き基礎２０においては、断熱材４に雨水等が直接かかること抑制するために、水切りカバー１４を断熱材４の上方に取り付けると好適である。本実施形態においては、立ち上がり部１０ａのコンクリート部分上端上で塗り固められたモルタル１０ｃの上方に壁パネル１３が取り付けられており、壁パネル１３を構成する面材１３ａの下端部に水切りカバー１４が取り付けられている。
【００３７】
この場合に、立ち上がり部１０ａの屋外側に断熱材４が取り付けられた断熱材付き基礎２０は、断熱材４が取り付けられていない基礎本体１０と比較して、断熱材４の分だけ水切りカバー１４を外側に配置する必要がある。そして、水切りカバー１４は、雨水を斜め下方にガイドするために斜めに傾斜しているため、屋外側への張り出し量に応じて、水切りカバー１４の下方にある断熱材４との間のスペースが必要となる。
そこで、断熱材４の上端は、立ち上がり部１０ａの天端面１０ｂよりも下方に配置されるように、天端面１０ｂと断熱材４との間に段差部１５が形成されるように構成されている。
【００３８】
この構成は、上記のアングル５，２５が機能することにより、コンクリート打設後に断熱材４の上端を天端面１０ｂよりも低くするために、断熱材４に切断加工を施すことなく、容易に実現されることとなる。
上記のように、アングル５，２５は第一型枠片１ａに係止ピン９によって係止されており、アングル５，２５の垂下片５ｂ，２５ｂが、第一型枠片１ａと第二型枠片１ｂとの間の空間１１の上部を、断熱材４の上方の空間１１ａと他の空間１１ｂとに隔てている。
このように形成された垂下片５ｂ，２５ｂによって、コンクリートを空間１１ｂに打設する際に、断熱材４の上方の空間１１ａまでコンクリートが進出することを防止できる。このため、アングル５，２５によって、立ち上がり部１０ａの天端面１０ｂが断熱材４の上端よりも高い位置となるように、立ち上がり部１０ａを構築することができることとなる。
【００３９】
＜基礎断熱工法について＞
上記、型枠ユニットＵを用いた基礎断熱工法について説明する。
まず、型枠ユニットＵを建築現場に持ち込んで、基礎構築のための用意をする。その後、設置工程として、鉄筋ベース６、不図示の鉄筋、鉄筋ベース６上に吊止金具７等を設置し、その上に第一型枠片１ａ及び第二型枠片１ｂを取り付け、第一型枠片１ａと第二型枠片１ｂとの間に断熱材４を設置する。
【００４０】
次に、支持部材取付工程として、アングル５，２５を第二型枠片１ｂ側に張り出す向きで第一型枠片１ａ上に配置して取り付ける。具体的には、アングル５，２５の取付片５ａ，２５ａの図示せぬ取付孔、及び第一型枠片１ａの上部の図示せぬ取付孔に係止ピン９を通すことによって、アングル５，２５を第一型枠片１ａ上に取り付ける。
その後、プレート取付工程として、空間１１の幅方向においてアングル５，２５と第二型枠片１ｂの上部とに跨るようにアンカープレート３を配置して取り付ける。具体的には、アンカープレート３の取付孔３ｃ、及びアングル５，２５の取付片５ａ，２５ａの図示せぬ取付孔に係止ピン９を通すことによって、アンカープレート３をアングル５，２５及び第二型枠片１ｂの上部に取り付ける。この結果、アンカープレート３がアングル５，２５の上面に載置されるようになり、当該アングル５，２５がアンカープレート３を下方から支持するようになる。
【００４１】
その後、打設工程において、コンクリートを空間１１、厳密には、断熱材４と第二型枠片１ｂとの間の空間１１ｂに流し込むようにし、断熱材４よりも高い位置までコンクリートを打設する。このようにすることで、断熱材４と立ち上がり部１０ａと間に段差部１５を有する断熱材付き基礎２０が構築されることとなる。
上記の基礎断熱工法によれば、アングル５，２５を用いることによって、断熱材付き基礎２０を構築するための特別なアンカープレート３を用いずに、断熱材無しの基礎用のアンカープレート３を用いて、容易に断熱材付き基礎２０を構築することができる。
【００４２】
さらに、アングル５，２５によって、断熱材４の上方にコンクリートが流入することを防止して、断熱材４よりも高い位置に立ち上がり部１０ａの天端面１０ｂを形成することができる。このため、コンクリート打設後に断熱材４の一部を切除せずとも段差部１５を形成することができるため、水切りカバー１４の取付可能とするための断熱材４の切断作業を省略することができる。
【００４３】
上記実施形態において、アンカープレート３は、梯子状に形成された板材から成る部材であるものとして説明した。しかしながら、アンカープレート３は、第二型枠片１ｂとアングル５又はアングル２５とに架け渡されるものであればよい。つまり、アンカープレートは、梯子状に形成されたものに限られず、直線的な形状の板材であってもよく、平板状に形成されたものでよい。
【００４４】
また、上記実施形態において、アングル５，２５は、断面略Ｌ字状に形成されているものとして説明した。しかしながら、このような形状に限定されず、空間１１の上部のうち、断熱材４の上方の空間１１ａと他の空間１１ｂとを隔てるように垂下片５ｂ，２５ｂを有して、第一型枠片１ａに取付可能な形状であればよい。例えば、断面Ｔ字状のＴ形鋼であってもよい。
さらに、アンカープレート３を保持する部材としてアングル５，２５の２種類の部材を例に説明した。しかし、本願発明はこのような構成に限定されず、１種類のアングルから成るものであってもよく、より複雑な形状の型枠１にも対応可能なように、複数種類のアングルから成るものでもよい。さらには、各アングルの大きさを空間１１の幅方向の長さに適する大きさに変更してもよい。
【００４５】
また、上記実施形態においては、直線的に延在する断熱材付き基礎２０を構築する例を示したが、本願発明は、断熱材付き基礎２０のうち直線的に延在する部分に適用するものに限られず、出隅部や入隅部の部分に適用してもよい。この場合、例えばアンカープレートは、断面略Ｌ字状を成して断熱材４の上方の空間１１ａと他の空間１１ｂとを隔てつつ、出隅部や入隅部に沿う形状に形成されていればよい。
【符号の説明】
【００４６】
１  型枠
１ａ，１ｃ  第一型枠片
１ｂ  第二型枠片
３  アンカープレート（保持板）
３ａ  取付部
３ｂ  架橋部
３ｃ  取付孔
３ｄ  保持孔
３ｘ  長さ
４  断熱材
４ｔ  厚み
５  アングル（支持部材）
５ａ  取付片
５ｂ  垂下片
６  鉄筋ベース
７  吊止金具
９  係止ピン
１０  基礎本体
１０ａ  立ち上がり部
１０ｂ  天端面
１０ｃ  モルタル
１０ｔ  厚み
１１，１１ａ，１１ｂ  空間
１１ｗ  幅
１２  アンカーボルト
１３  壁パネル
１３ａ  面材
１４  水切りカバー
１５  段差部
２０  断熱材付き基礎
２１  空間
２５  アングル（支持部材）
２５ａ  取付片
２５ｂ  垂下片
Ｕ  型枠ユニット
【図１】
2018003409.tif 000003
【図２】
2018003409.tif 000004
【図３】
2018003409.tif 000005
【図４】
2018003409.tif 000006
【図５】
2018003409.tif 000007